(57)【特許請求の範囲】
【請求項１】
洗濯機を収容するランドリーキャビネットであって、一対のキャビネット側板間に上下方向にスライド自在に取り付けられた開閉扉と、この開閉扉をそのスライド範囲内の任意の位置で保持する扉保持機構とを備え、前記扉保持機構は、前記キャビネット側板間の棚板に固定された固定部材と、この固定部材に取り付けられたブレーキ部材とを備え、前記ブレーキ部材は、前記開閉扉が最上位置のときにその開閉扉の下端面を押圧する第１姿勢と、前記開閉扉が最上位置から下方にスライドしたときにその開閉扉の後面を押圧する第２姿勢との間で切換可能とされたことを特徴とするランドリーキャビネット。
【請求項２】
前記ブレーキ部材は、前記固定部材に横軸周りに回転自在に支持されたアーム材と、このアーム材に取り付けられた摩擦材と、前記固定部材とアーム材との間に介装されて前記摩擦材を扉方向に付勢するバネ材とからなる請求項１記載のランドリーキャビネット。
【請求項３】
洗濯機を収容するランドリーキャビネットであって、一対のキャビネット側板間に上下方向にスライド自在に取り付けられた開閉扉と、この開閉扉をそのスライド範囲内の任意の位置で保持する扉保持機構とを備え、前記開閉扉は、上下左右のフレーム材によって形成された方形枠と、この方形枠の前面側に取り付けられた面材とからなり、前記扉保持機構は、前記開閉扉の左右フレーム材間に上下方向に移動自在に差し渡された昇降ロッドと、前記開閉扉の上フレーム材と昇降ロッドとの間に差し渡されたガススプリングと、前記昇降ロッドに掛け巻きされた状態で、前記開閉扉の上フレーム材と前記キャビネット側板間の棚板との間に介装されたロッド移動用ベルトとを備えたことを特徴とするランドリーキャビネット。
【発明の詳細な説明】
【０００１】
【発明の属する技術分野】
この発明は、洗濯機を収容するランドリーキャビネットに関し、特に、その開閉扉の構造に係る。
【０００２】
【従来の技術】
一般に、住宅の洗面所等に設置されるランドリーキャビネットは、左右のキャビネット側板、これらキャビネット側板間に差し渡された天板、背板、複数の棚板等から構成されている。この種のランドリーキャビネットには、棚板で区画された収納室を開閉する開閉扉を設けるようにしたものがある。開閉扉としては、例えば縦軸周りに回転自在に取り付けられた片開き式又は観音開き式のもの、左右方向にスライドする引違い式のものがある。
【０００３】
【発明が解決しようとする課題】
しかしながら、片開き式又は観音開き式の開閉扉を備えたランドリーキャビネットにおいては、開閉扉がキャビネット前方及び側方に大きく開くので、例えば洗面所のコーナー部分に設置した場合、開閉扉が内壁材に当たって内壁材を傷付けることがあった。また、別のキャビネット等と隣接させた場合にも、開放した開閉扉が別のキャビネットに当たってしまうことがあった。
【０００４】
他方、引違い式の開閉扉を備えたランドリーキャビネットにおいては、上記のような開閉扉の張り出しがないので、開閉扉がランドリー周辺の部材に干渉することはない。しかし、引違い式の場合、片開き式や観音開き式の開閉扉に比べて開放面積が半分程度となってしまうので、大きな収納物を収納し難くく、使い勝手が悪いといった欠点がある。
【０００５】
また、いずれの開閉扉の場合にも、縦軸周り或いは左右方向に水平に移動して開閉する構造であるため、天井面に近い上方部分に設けると、その開閉操作が煩雑で、操作性が悪いといった欠点もあった。
【０００６】
そこで、この発明は、上記の不具合を解消して、使い勝手が良く、操作性にも優れた開閉扉を備えたランドリーキャビネットを提供することを目的とするものである。
【０００７】
【課題を解決するための手段】
上記の課題を解決するため、本発明のランドリーキャビネットは、一対のキャビネット側板間に上下方向にスライド自在に取り付けられた開閉扉と、この開閉扉をそのスライド範囲内の任意の位置で保持する扉保持機構とを備えたことを特徴とする。
【０００８】
具体的に、前記扉保持機構は、前記キャビネット側板間の棚板に固定された固定部材と、この固定部材に取り付けられたブレーキ部材とを備え、前記ブレーキ部材は、前記開閉扉が最上位置のときにその開閉扉の下端面を押圧する第１姿勢と、前記開閉扉が最上位置から下方にスライドしたときにその開閉扉の後面を押圧する第２姿勢との間で切換可能とされている。
【０００９】
そして、前記ブレーキ部材は、前記固定部材に横軸周りに回転自在に支持されたアーム材と、このアーム材に取り付けられた摩擦材と、前記固定部材とアーム材との間に介装されて前記摩擦材を扉方向に付勢するバネ材とからなる。
【００１０】
さらに別のランドリーキャビネットにおいては、前記開閉扉は、上下左右のフレーム材によって形成された方形枠と、この方形枠の前面側に取り付けられた面材とからなり、前記扉保持機構は、前記開閉扉の左右フレーム材間に上下方向に移動自在に差し渡された昇降ロッドと、前記開閉扉の上フレーム材と昇降ロッドとの間に差し渡されたガススプリングと、前記昇降ロッドに掛け巻きされた状態で、前記開閉扉の上フレーム材と前記キャビネット側板間の棚板との間に介装されたロッド移動用ベルトとを備えている。
【００１１】
【発明の実施の形態】
(第１実施形態)
図１は、本発明の第１実施形態に係るランドリーキャビネットの斜視図、図２は、同じくその正面図、図３は、同じくその分解斜視図、図４は、扉保持機構の斜視図、図５は、開閉扉が閉じたときの状態を示す側面図、図６は、開閉扉が開いたときの状態を示す側面図である。
【００１２】
本実施形態に係る住宅用のランドリーキャビネットは、キャビネット本体(１)と、このキャビネット本体(１)内に収納されてドラム式洗濯機(２)を設置する据付台(３)とを備えている。
【００１３】
キャビネット本体(１)は、左右一対のキャビネット側板(５)(５)と、このキャビネット側板(５)(５)間に差し渡された天板(17)及び複数段の棚板(６)(６)…とならなり、このキャビネット本体(１)内には複数の収納室(７)(７)…が上下方向に区画形成されている。キャビネット側板(５)(５)間には、最上部に位置する２つの収納室(７)(７)を開閉する開閉扉(８)が設けられている。また、キャビネット側板(５)には、タオルハンガー(９)等が取り付けられる。
【００１４】
ここで、開閉扉(８)の構造について説明する。開閉扉(８)は、方形板状に形成されており、その両側部には、上下一対の案内ローラ(40)(40)が回転自在に夫々取り付けられている。そして、これらの案内ローラ(40)(40)…が、左右のキャビネット側板(５)(５)の上部前側に上下方向に沿って夫々形成された縦溝(41)(41)に案内され、これによって開閉扉(８)は、上下方向にスライド自在とされている。
【００１５】
そして、この開閉扉(８)は、左右一対の扉保持機構(42)(42)によってスライド範囲内の任意の位置で保持されるようになっている。扉保持機構(42)は、図４に示すように、上から２段目の棚板(６)の前端部下面にビス(43)止めされた固定部材(50)と、これら固定部材(50)に夫々取り付けられたブレーキ部材(51)とを備えている。
【００１６】
ブレーキ部材(51)は、固定部材(50)のボス部(56)(56)に横軸(52)周りに回転自在に支持されたアーム材(53)と、このアーム材(53)に取り付けられたゴム製の摩擦材(54)と、固定部材(50)とアーム材(53)との間に介装されて摩擦材(54)を開閉扉方向に付勢する板バネであるバネ材(55)とから構成されている。
【００１７】
そして、ブレーキ部材(51)は、開閉扉(８)が最上位置すなわち閉じているときに、その下端面を押圧する第１姿勢(図５参照)と、開閉扉(８)が閉じた状態から下方にスライドして開放したときに、その後面を押圧する第２姿勢(図６参照)との間で切換可能とされている。
【００１８】
左右のブレーキ部材(51)(51)が第１姿勢のときには、開閉扉(８)を下から支えて、開閉扉(８)は閉じた状態で保持される。また、第２姿勢のときには、摩擦材(54)(54)と開閉扉(８)の後面との間に生じる摩擦力が開閉扉(８)の自重を上回り、開閉扉(８)は開いた状態で保持される。従って、開閉扉(８)は、力を加えない限り、そのスライド範囲内の任意の位置で保持されるようになっている。なお、図６に示す状態は、開閉扉(８)が完全に開放した状態ではなく、これよりもさらに下方にスライドしてその上端面が上から２段目の棚板(６)の上面とほぼ面一となったときに完全に開放した状態となる。
【００１９】
この開閉扉(８)、天板(17)及び各棚板(６)(６)…は、適宜切断してその幅を調整することができるようになっている。また、各棚板(６)(６)…は、その高さ位置を任意に設定可能として、棚ダボ(10)(10)…を介してキャビネット側板(５)(５)に緊結されるようになっている。このため、各収納室(７)(７)…の大きさを任意に設定することができるとともに、高さや幅の異なる複数種類のドラム式洗濯機(２)に対応できるようになっている。
【００２０】
このキャビネット本体(１)は、洗面所の内壁材(12)側に固定した複数のダボ金具(11)(11)…に対して、キャビネット側板(５)(５)側に固定した係合部材(16)(16)…を、キャビネット側板(５)(５)の外表面側からの操作によって係合させることにより、内壁材(12)に直接固定されている。なお、キャビネット本体(１)を固定する内壁材(12)の表面には、アスベール等の防水性に優れた壁装材(15)(15)…が貼り付けられており、キャビネット本体(１)の背面部分の水仕舞を良好している。本実施形態は、新築の住宅に対してのランドリーキャビネットの設置例を示しているが、既築の住宅に対しては、クロス等の壁装材が貼り付けられた内壁材(12)にカールプラグを介してダボ金具(11)(11)…を固定するようにしている。
【００２１】
このようにして取り付けられたキャビネット本体(１)は、洗面所の床面(13)から天井面(14)に跨って配されている。従って、地震等の振動によってキャビネット本体(１)が転倒するといった危険性をなくすことができる。
【００２２】
据付台(３)は、左右一対の側板(20)(20)と、この側板(20)(20)の上端間に差し渡された天板(21)と、側板(20)(20)の下端間に差し渡された底板(22)とからなり、１００ｋｇ以上の荷重に耐えることができる剛性の高い構造とされて、キャビネット本体(１)における最下段の収納室(７)の底部に収納されている。そして、天板(21)の上面が、床面(13)から３０〜４０cmの高さ位置に配されて、ドラム式洗濯機(２)の据え付け面(24)とされている。また、この据え付け面(24)よりも下側の据付台(３)の内部空間が、収納空間(25)とされている。この据付台(３)における天板(21)及び底板(22)は、キャビネット本体(１)の棚板(６)(６)…や開閉扉(８)と同様に、適宜切断してその幅を調整することができるようになっている。
【００２３】
また、天板(21)には、その後端部にドラム式洗濯機(２)の排水ホース(30)を通すための切欠(31)が設けられており、この切欠(31)を貫通した排水ホース(30)は、防水処理が施された床面(13)の排水口に接続されるようになっている。
【００２４】
なお、底板(22)は、その奥行きが天板(21)のほぼ半分しかなく、床面(13)の排水口には干渉しないようになっている。また、側板(20)(20)と天板(21)によって据付台(３)の剛性を保つことができれば、底板(22)は廃止するようにしても良い。給水ホースに関しては、給水栓が床面(13)にある場合には、排水ホース(30)と同様に切欠(31)を貫通させて給水栓に接続すれば良く、また給水栓が内壁面にある場合には、キャビネット側板(５)に形成した切欠を貫通させて給水栓に接続すれば良い。
【００２５】
そして、この据付台(３)の収納空間(25)には、雑巾やバケツ、物干しピンチ、或いは仕上げ剤や柔軟剤等の小物類を収納する引き出し式の扉(33)付き収納トレイ(34)が装着されている。この収納トレイ(34)は、防水処理が施されており、底板(22)と同様にその奥行きが天板(21)のほぼ半分程度しかなく、排水ホース(30)や排水口等に干渉しないようになっている。そして、収納トレイ(34)を収納空間(25)から取り外せば、収納空間(25)が開放して、排水ホース(30)の取付作業や水漏れ等の点検も簡単に行うことができるようになっている。
【００２６】
ドラム式洗濯機(２)は、この据付台(３)の据え付け面(24)上に設置されて最下段の収納室(７)に収納されるが、その収納室(７)を構成する棚板(６)、左右のキャビネット側板(５)(５)とは隙間をあけて配置されている。そして、これらドラム式洗濯機(２)周りの各隙間には、防振用の隙間パッキン(35)(35)…が介装されている。しかも、このドラム式洗濯機(２)は、防振ゴム等の防振材(36)を介して据え付け面(24)上に設置されており、これによってドラム式洗濯機(２)からの振動を吸収し易くなっている。
【００２７】
(第２実施形態) 
図７は、第２実施形態のランドリーキャビネットにおける開閉扉及び扉保持機構の斜視図、図８は、開閉扉が閉じたときの状態を示す縦断面図、図９は、開閉扉が開いたときの状態を示す縦断面図である。
【００２８】
本実施形態のランドリーキャビネットにおいては、その開閉扉(80)が、上下一対のフレーム材(81)(81)と左右一対のフレーム材(82)(82)によって形成された方形枠(83)と、この方形枠(83)の前面側に取り付けられた面材(84)とから構成されている。そして、左右のフレーム材(82)(82)の上部外面側には、突起(85)が夫々突設されており、これら突起(85)(85)が、左右のキャビネット側板(５)(５)の上部前側に上下方向に沿って夫々形成された縦溝(86)(86)に案内されている。これによって、開閉扉(80)は、上下方向にスライド自在とされている。
【００２９】
そして、この開閉扉(80)は、その方形枠(83)内に設けられた扉保持機構(90)によってスライド範囲内の任意の位置で保持されるようになっている。扉保持機構(90)は、開閉扉(80)の左右フレーム材(82)(82)間に上下方向に移動自在に差し渡された昇降ロッド(91)と、上フレーム材(81)と昇降ロッド(91)との間に差し渡された左右一対のガススプリング(92)(92)と、昇降ロッド(91)に掛け巻きされた状態で、上フレーム材(81)と上から２段目の棚板(６)の前端部との間に介装されたロッド移動用ベルト(93)とから構成されている。
【００３０】
昇降ロッド(91)は、大径部(94)と、この大径部(94)の両端から突出した左右一対の小径部(95)(95)とが一体に連結されてなる。そして、左右の小径部(95)(95)が、左右フレーム材(82)(82)における内面側の下部から中央にかけて上下方向に沿って夫々形成された案内溝(96)(96)に嵌め込まれている。
【００３１】
ガススプリング(92)は、そのシリンダ本体(97)が上フレーム材(81)に固定され、シリンダロッド(98)が昇降ロッド(91)の小径部(95)に回転自在に支持されている。
【００３２】
ロッド移動用ベルト(93)は、布ベルトからなり、左右のガススプリング(92)(92)間でそれらガススプリング(92)(92)と平行に配されている。
【００３３】
そして、図８に示すように、開閉扉(80)が閉じているときには、昇降ロッド(91)が案内溝(96)(96)の下部まで下がり、ガススプリング(92)(92)のシリンダロッド(98)(98)が伸長する。このとき、開閉扉(80)がその自重によって下方にスライドしようとするが、そのためにはロッド移動用ベルト(93)によって昇降ロッド(91)を持ち上げてガススプリング(92)(92)のシリンダロッド(98)(98)を短縮させなければならない。しかし、この開閉扉(80)の自重による力とガススプリング(92)(92)の付勢力とが釣り合うようになっているので、開閉扉(80)は閉じた状態で保持される。なお、図中、(99)は、天板(17)の前端部下面に取り付けられた磁石、(100)は、開閉扉(80)の上フレーム材(81)の上面に取り付けられた磁石であり、これら磁石(99)(100)同士が吸着することによって、開閉扉(80)がきっちりと閉じるようになっている。
【００３４】
一方、図９に示すように、力を加えて開閉扉(80)を開いたときには、その開放量に応じてロッド移動用ベルト(93)が昇降ロッド(91)を持ち上げ、ガススプリング(92)(92)のシリンダロッド(98)(98)が短縮する。そして、力を加えるのを止めると、上記のように開閉扉(80)の自重による力とガススプリング(92)(92)の付勢力とが釣り合い、開閉扉(80)はその位置で保持される。なお、図９に示す状態は、開閉扉(80)が完全に開放した状態ではなく、これよりもさらに下方にスライドしてその上端面が上から２段目の棚板(６)の上面とほぼ面一となったときに完全に開放した状態となる。その他の構成は、第１実施形態と同様であり、第１実施形態と同様の機能を有する部材については、同符号を付してある。
【００３５】
【発明の効果】
以上の説明から明らかなように、本発明のランドリーキャビネットによると、その開閉扉がキャビネット側板間に上下方向にスライド自在に取り付けられているので、開閉扉がランドリー周辺の部材に干渉することがなく、また開放面積も十分に確保することができ、使用性を向上することができる。
【００３６】
しかも、開閉扉を天井面に近い上方部分に設けた場合でも、上下方向にスライドする構造であるため、水平方向に開閉する構造のものに比べて開閉操作が容易で、操作性も向上することができる。
【００３７】
また、開閉扉は、各種の扉保持機構によってスライド範囲内の任意の位置で保持されるようになっているので、開放した開閉扉を手で保持しながら収納物の収納や取り出しを行う必要がなく、使用性をさらに向上することができる。
【図面の簡単な説明】
【図１】  本発明の第１実施形態に係るランドリーキャビネットの斜視図である。
【図２】  同じくその正面図である。
【図３】  同じくその分解斜視図である。
【図４】  扉保持機構の斜視図である。
【図５】  開閉扉が閉じたときの状態を示す側面図である。
【図６】  開閉扉が開いたときの状態を示す側面図である。
【図７】 第２実施形態のランドリーキャビネットにおける開閉扉及び扉保持機構の斜視図である。
【図８】  開閉扉が閉じたときの状態を示す縦断面図である。
【図９】  開閉扉が開いたときの状態を示す縦断面図である。
【符号の説明】
(２)  洗濯機
(５)  キャビネット側板
(６)  棚板
(８)  開閉扉
(42)  扉保持機構
(50)  固定部材
(51)  ブレーキ部材
(52)  横軸
(53)  アーム材
(54)  摩擦材
(55)  バネ材
(80)  開閉扉
(81)  上下のフレーム材
(82)  左右のフレーム材
(83)  方形枠
(84)  面材
(90)  扉保持機構
(91)  昇降ロッド
(92)  ガススプリング
(93)  ロッド移動用ベルト
【図１】
0003805125.tif 000002
【図２】
0003805125.tif 000003
【図３】
0003805125.tif 000004
【図４】
0003805125.tif 000005
【図５】
0003805125.tif 000006
【図６】
0003805125.tif 000007
【図７】
0003805125.tif 000008
【図８】
0003805125.tif 000009
【図９】
0003805125.tif 000010